【事件の表示】
　特願２００７−２５１３８０「樹脂管の端部拡径管、樹脂管用継手の接続構造及び接続方法」拒絶査定不服審判事件〔平成２１年　４月１６日出願公開、特開２００９−　７９７５０〕について、次のとおり審決する。
【結　論】
　本件審判の請求は、成り立たない。
【理　由】
第１．手続の経緯  
　本願は，平成１９年９月２７日の出願であって，平成２３年２月１日付けで拒絶査定がなされたのに対し，同年３月２９日に拒絶査定不服審判の請求がなされた。
　その後，当審において，平成２３年１０月３日付けで拒絶理由を通知したところ，同年１１月１５日付けで特許請求の範囲を対象とする手続補正がなされた。
　
第２．当審で通知した拒絶理由
　平成２３年１０月３日付けで通知した拒絶理由は，以下のとおりである。
　「この出願の請求項に係る発明は，その出願前日本国内又は外国において頒布された下記の刊行物に記載された発明に基づいて，その出願前にその発明の属する技術の分野における通常の知識を有する者が容易に発明をすることができたものであるから，特許法第２９条第２項の規定により特許を受けることができない。
　１．実願昭５７−１４２３３９号（実開昭５９−４５３９１号）の
　　　マイクロフィルム
　２．特開平８−３１２８５６号公報
　３．特開平１−２０３７８８号公報
　４．実願昭６１−１６０１４８号（実開昭６３−６６６８５号）の
　　　マイクロフィルム
　５．特開昭４８−９４０１１号公報
　６．実願昭５８−２９５４８号（実開昭５９−１３６０９１号）の
　　　マイクロフィルム」
　
第３．本願発明
　本願の請求項１に係る発明は，平成２３年１１月１５日付けで補正された特許請求の範囲の請求項１に記載された事項により特定される，以下のとおりのものである（以下，「本願発明」という。）。
　「継手本体の雄ねじ部に，断面三角台形の樹脂環体よりなるシールリングを介装して袋ナットの雌ねじ部を螺合することにより，樹脂管と継手本体とを接続する樹脂管用継手の前記樹脂管の内径に圧入する拡径管であって，軸長方向に傾斜したテーパ状外周面を有するとともに該テーパ状外周面に，複数段にわたり互いに隣接して立ち上がる鋭角稜部に樹脂管の内周面壁が食い込むように構成された竹の子状段部が刻設されたテーパリング部と，該テーパリング部の最大外径側の管端外周に突設され前記樹脂管の管端面が当接する鍔部とから構成されていることを特徴とする樹脂管用継手の接続に用いる樹脂管の端部拡径管」
　
第４．当審の判断
１．刊行物記載事項
（１）当審で通知した拒絶理由に引用された，本願の出願前に頒布された刊行物である実願昭５７−１４２３３９号（実開昭５９−４５３９１号）のマイクロフィルム（以下「引用例１」という。）には，図面とともに，次の事項が記載されている。
　１ａ）「接続せんとする管の端部内面にインコア（３）を嵌入し，且つ管の端部外面にテーパーリング（４）を套嵌して，この管端を継手本体（１）に挿入し，袋ナット（２）で締付けて固定するようにした管継手に於いて，インコア（３）及びテーパーリング（４）を金属製となし，インコア（３）の外面には歯面（６）を形成すると共に，インコア（３）の端部に鍔（７）を設け，また，テーパーリング（４）の内面には環状突起（１０）を形成すると共に，テーパーリング（４）には割り溝（１１）を設けてテーパーリング（４）を割りリングとしたことを特徴とする管継手。」（実用新案登録請求の範囲）
　１ｂ）「この考案は合成樹脂製や，ゴム製などの軟質管の管継手に関する。」（第２頁第４〜５行）
　１ｃ）「本考案はこのような欠点を解消して，冷水は勿論，温水用に使用しても漏水を起さない管継手を提供せんとするもので，」（第２頁第１９行〜第３頁第１行）
　１ｄ）「以下に本考案の管継手を図面の実施例について説明する。（１）は継手本体，（２）は袋ナット，（３）はインコア，（４）はテーパーリングである。継手本体（１）及び袋ナット（２）は従来からこの種の管継手に用いられているものと同様の構造である。インコア（３）及びテーパーリング（４）は砲金やステンレススチールなどの金属製である。インコア（３）は接続せんとする管（５）の端部の内面にたたき込むなどして押込まれる。管（５）の内壁と接触するインコア（３）の外壁面は断面鋸歯状の歯面（６）に成形されている。また，インコア（３）の端部には鍔（７）が形成され，この鍔（７）は管端面との衝突壁となる。テーパーリング（４）の外壁にはテーパー面（８）が形成され，このテーパー面（８）は継手本体（１）に形成された内テーパー面（９）と接合するようになる。」（第３頁第１０行〜第４頁第４行）
　１ｅ）「次に前記管継手の使用方法について説明する。先ず管（５）の外面に予じめ袋ナット（２）とテーパーリング（４）を套嵌しておく。次に管（５）の端の内面にインコア（３）を打ち込むようにして押し込み，鍔（７）が管（５）の端に接するようにインコア（３）を管（５）に嵌入する。この時，インコア（３）の外面が歯面（６）である為，この歯面（６）に管（５）の内壁が僅ずかに食い込むが，完全には食い込まない。この状態で，管（５）の外面のテーパーリング（４）を管の端部方向へと移動させる。管（５）の端部付近はインコア（３）の嵌入によつてやや膨張しているので，テーパーリング（４）はある位置で移動阻止される。次に，このような状態の管端を継手本体（１）の内面に挿入すると共に，袋ナット（２）を継手本体（１）に螺合させ，締め付ける。袋ナット（２）が締め付けられるに従い，テーパーリング（４）は袋ナット（２）に押されて管の端の方へと徐々に移動し，テーパーリング（４）のテーパー面（８）が継手本体（１）の内面の内テーパー面（９）と接合する。そして更に袋ナット（２）を締付けると，テーパーリング（４）は内テーパー面（９）の楔効果によつて半径方向に締め付けられ，割り溝（１１）の存在により，テーパーリング（４）は徐々にその内径を縮め，管（５）の外面を押圧すると共に，管（５）の外壁面に環状突起（１０）が食い込んでいく。そして袋ナット（２）を完全に締め付けると，管（５）の端の内外壁面にはインコア（３）の歯面（６）及びテーパーリング（４）の環状突起（１０）が第１図の如く完全に食い込み，且つ管（５）の最端部には膨大部（１２）が形成され，管（５）は完全に固定される。」（第４頁第１０行〜第５頁第１７行）
　
　上記記載事項１ａ〜１ｅ及び図面の記載によれば，引用例１には，次の発明（以下「引用発明」という。）が記載されているといえる。 
　「合成樹脂製の管（５）を継手本体（１）に挿入し，継手本体（１）に螺合する袋ナット（２）で締め付け固定する管継手であって，管（５）の端部内面にたたき込まれる金属製のインコア（３）と，管（５）の端部外面に套嵌される金属製のテーパーリング（４）とを備え，インコア（３）の外面には断面鋸歯状の歯面（６）が形成されるとともに，インコア（３）の端部には管（５）の端面と衝突する鍔（７）が形成され，また，テーパーリング（４）の外面には継手本体（１）の内テーパー面（９）と接合するテーパー面（８）が形成されるとともに，テーパーリング（４）の内面には環状突起（１０）が形成されており，袋ナット（２）を締め付けると，テーパーリング（４）が半径方向に締め付けられ，管（５）の端の内外壁面にインコア（３）の歯面（６）及びテーパーリング（４）の環状突起（１０）が食い込み，管（５）の最端部に膨大部（１２）が形成されて管（５）が固定されるようにした管継手。」
　
（２）同じく当審で通知した拒絶理由に引用された，本願の出願前に頒布された刊行物である特開平１−２０３７８８号公報（以下「引用例２」という。）には，図面とともに，次の事項が記載されている。
　２ａ）「この発明は，樹脂管の端部を継手本体の端部に嵌め入れた状態で，上記継手本体の外周面に設けられたねじ部分に上記樹脂管側から袋ナツトを螺合させることによって，上記樹脂管と上記継手本体とを接続し固定するための接続構造に関するものである。」（第１頁右下欄第１９行〜第２頁左上欄第４行）
　２ｂ）「この種の接続構造においては，接続強度が弱いと，接続部が緩み，シール性が十分に保てず，管路内を流れる液体が漏れるという問題が生じる。さらに，接続強度が弱いと，樹脂管が抜けて脱落するという問題も生じる。
　この発明は上記のような問題点を解決するためになされたもので，シール性能が高く，かつ継手本体から樹脂管が抜けて脱落することのない，樹脂管と継手本体の接続構造を提供することを目的とする。」（第２頁左上欄第７〜１６行）
　２ｃ）「第１図を参照して，樹脂管５の端部が継手本体１の端部に嵌め入れられている。樹脂管５の端部には，該樹脂管５に嵌まり込み該樹脂管５の内周面に接触する嵌込み部材４が嵌め込まれている。嵌込み部材４はたとえば硬質金属で形成される。また，嵌込み部材４の外周面であって樹脂管５の内周面と接触する部分には，切込溝４ａが形成されている。」（第３頁左上欄第６〜１３行）
　２ｄ）「また，嵌込み部材４の端部には径方向外方に張出したフランジ４ｂが設けられている。このフランジ４ｂは，嵌込み部材４が樹脂管５の奥深くまで嵌まり込みすぎるのを防止する。
　樹脂管５の外周面上であって，継手本体１の端面１ｂと袋ナツト２の内壁面２ａとの間には，リング状シール部材３が配置されている。リング状シール部材３の外周面には円周方向に沿って延びる凹部３ａが形成されている。さらに，リング状シール部材３には，袋ナツト２の内壁面２ａおよび継手本体１の端面１ｂの形状に合わせた傾斜面が設けられている。継手本体１の端面１ｂとシール部材３の傾斜面３ｂが強く接触することにより，管路内の液体が外部に漏れるのを封じている。」（第３頁左上欄第２０行〜右上欄第１３行）
　２ｅ）「次に，第１図および第２図を参照して，樹脂管５と継手本体１の接続の動作について説明する。
　まず，樹脂管５の端部に嵌め込み部材４を嵌め込む。そして，樹脂管５の端部の端面がフランジ４ｂに当接するまで，嵌め込み部材４を挿入する。そして，樹脂管５の上記端部の外周面に，その外周面に円周方向に沿って延びる凹部３ａが形成されたリング状シール部材３を配置する。樹脂管５をこのような状態にしておいて，その端部を継手本体１の端部に嵌め入れる。そして，継手本体１の外周面に設けられたねじ部分１ａに樹脂管５側から袋ナツト２を螺合する。すると，リング状シール部材３は，袋ナツト２の内壁面２ａおよび継手本体１の端面１ｂから互いに相反する方向の押圧力を受ける。この押圧力によって，リング状シール部材３の上記凹部３ａの間隔は挟まり，リング状シール部材３はその内周面が内方に膨出するように撓み，樹脂管５の外周面を強く押圧する（第２図）。これにより，継手本体１と樹脂管５とは強くシールされた状態で接続され，樹脂管５の管路内の液体は外部に漏れなくなる。
　また，上記リング状シール部材３の撓みによって，上記樹脂管５の内周面が嵌込み部材４の外周面に形成された切込溝４ａに食い込む。これにより，樹脂管５の滑りは止められ，継手本体１から樹脂管５が抜けるのが防止される。」（第３頁左下欄第４行〜右下欄第９行）
　
２．対比・判断
　本願発明と引用発明とを対比する。
　引用発明の「継手本体（１）」，「袋ナット（２）」，「合成樹脂製の管（５）」，「インコア（３）」は，それぞれ本願発明の「継手本体」，「袋ナット」，「樹脂管」，「端部拡径管」に相当する。
　引用発明は，インコア（３）の外面に断面鋸歯状の歯面（６）が形成され，管（５）の内壁面にインコア（３）の歯面（６）が食い込むものであるから，本願発明における，「外周面に，複数段にわたり互いに隣接して立ち上がる鋭角稜部に樹脂管の内周面壁が食い込むように構成された竹の子状段部が刻設されたテーパリング部」との要件を備える。
　引用発明は，インコア（３）の端部に管（５）の端面と衝突する鍔（７）が形成されるものであるから，本願発明における「該テーパリング部の最大外径側の管端外周に突設され樹脂管の管端面が当接する鍔部」との要件を備える。
　引用発明のテーパーリング（４）は，断面が三角台形であり，継手本体（１）と袋ナット（２）との間に介装されるものであるといえる。
　したがって，本願発明と引用発明は，本願発明の表記にしたがえば，
　「継手本体の雄ねじ部に，断面三角台形のリングを介装して袋ナットの雌ねじ部を螺合することにより，樹脂管と継手本体とを接続する樹脂管用継手の前記樹脂管の内径に圧入する拡径管であって，軸長方向に傾斜したテーパ状外周面を有するとともに該テーパ状外周面に，複数段にわたり互いに隣接して立ち上がる鋭角稜部に樹脂管の内周面壁が食い込むように構成された竹の子状段部が刻設されたテーパリング部と，該テーパリング部の最大外径側の管端外周に突設され前記樹脂管の管端面が当接する鍔部とから構成されている，樹脂管用継手の接続に用いる樹脂管の端部拡径管」
の点で一致し，次の点で相違する。
　
［相違点］
　本願発明のリングは，樹脂環体よりなるシールリングであるのに対して，引用発明のテーパーリング（４）は，金属製であり，それ自体がシール機能をもつとはいえない点。
　
　上記相違点について検討する。
　引用例２には，シール性及び接続強度を高めるようにした樹脂管と継手本体の接続構造が記載されている。この接続構造は，継手本体１と袋ナツト２の間であって，かつ，樹脂管５の端部外周面に配置されるリング状シール部材３を備え，継手本体１に袋ナツト２を螺合すると，リング状シール部材３が径方向内方に膨出して，樹脂管５の外周面を押圧し，樹脂管５の内周面が嵌込み部材４の外周面に形成された切込溝４ａに食い込むものである（記載事項２ａ〜２ｅ参照）。
　引用発明においても，シール性が要求されるのは明らかであり（記載事項１ｃ参照），該シール性は，合成樹脂製の管（５）の内壁がインコア（３）の歯面（６）に食い込んで圧接すること，袋ナット（２）の締め付け過程において管（５）の端部に形成される膨大部（１２）が継手本体（１）に圧接すること等により，ある程度確保されていると考えられるが，シール性をより高くしたい場合，テーパーリング（４）を樹脂製とし，テーパーリング（４）と管（５）との間やテーパーリング（４）と継手本体（１）との間でもシールを実現することは，引用例２を参酌することにより，当業者が容易に想到し得たことである。
　なお，引用発明のインコア（３）は，軸長方向に傾斜したテーパ状外周面を有するというべきである。仮に，本願発明における「軸長方向に傾斜したテーパ状外周面」が，本願の図２の実施例で示されるように，竹の子状の各段部の頂点同士を結ぶ線が「軸長方向に傾斜した」ものであることを意味するとしても，そのようなものは，引用例１の第２図に記載されているといえるし，当審で通知した拒絶理由に引用された，本願の出願前に頒布された刊行物である特開平８−３１２８５６号公報（以下「引用例３」という。）にも記載されている（図１参照）。
　以上のことから，本願発明は，引用発明，引用例２に記載された発明及び引用例３に記載された技術事項に基づいて，当業者が容易に発明をすることができたものである。
　
３．むすび
　以上のとおり，本願発明は，引用発明，引用例２に記載された発明及び引用例３に記載された技術事項に基づいて当業者が容易に発明をすることができたものであって，特許法第２９条第２項の規定により特許を受けることができないものであるから，本願の他の請求項に係る発明について検討するまでもなく，本願は拒絶されるべきものである。
　したがって，結論のとおり審決する。